(57)【要約】【課題】回路遮断器の組み立て時において、各極毎に識別性を備えたねじなし端子部の接続電線解除具の装着位置の誤りを極力起こしにくい回路遮断器のねじなし端子部の構造を提供すること。【課題を解決するための手段】回路遮断器の各極の電線接続端子を隔てるケースＡ乃至Ｃの壁部が該電線接続端子の並設方向に夫々並設されて形成された回路遮断器における接続電線解除具３０，３１を備えたねじなし端子部１００の構造を、自極の電線接続端子部に対して他極用の接続電線解除具３１が該自極に装着されることを防止する他極用接続電線解除具３１の装着防止手段が備えられたことを特徴として構成した。【選択図】図１
2013168291.tif 000002
【特許請求の範囲】
【請求項１】
各極の電線接続端子部を隔てる壁部が該電線接続端子の並設方向に夫々並設されて形成された、接続電線解除具を備えた回路遮断器におけるねじなし端子部の構造であって、
自極の電線接続端子部に対して他極用の接続電線解除具が該自極に装着されることを防止する他極用接続電線解除具の装着防止手段が備えられたことを特徴とする接続電線解除具を備えた回路遮断器のねじなし端子部構造。
【請求項２】
前記装着防止手段は、
自極のねじなし端子部と他極のねじなし端子部とを隔てる前記壁部と、
前記接続電線解除具自身とに設けられたことを特徴とする請求項１記載の接続電線解除具を備えた回路遮断器のねじなし端子部構造。
【請求項３】
他極用の接続電線解除具を自極側に配設する場合においては、
前記壁部に設けられた第一の装着防止手段と、
前記接続電線解除具に設けられた第二の装着防止手段とが、
当接干渉することにより、前記他極用の接続電線解除具が自極側に装着されることが妨げられることを特徴とする請求項２記載の接続電線解除具を備えた回路遮断器のねじなし端子部構造。
【請求項４】
前記壁部に設けられた第一の装着防止手段は、該壁部に形成された壁部突出部からなる一方、
他極用の接続電線解除具には、自極用の接続電線解除具の所定位置への装着時において、
前記壁部突出部と当接干渉する第二の装着防止手段としての当接干渉部が形成されて、
前記他極用の接続電線解除具が自極側に装着されることが妨げられることを特徴とする請求項３記載の接続電線解除具を備えた回路遮断器のねじなし端子部構造。
【請求項５】
前記他極用の接続電線解除具が自極側に装着されることを妨げる自極側の壁部突出部は、
自極用の接続電線解除具の所定位置への装着時において、
該自極用の接続電線解除具とは当接干渉しない位置に形成される一方、
自極用の接続電線解除具から自極側の壁部に向けて突出部が形成されるとともに自極側の壁部には該突出部を避けて形成される壁部凹部が形成されて、
自極用の接続電線解除具においては、自極側に装着されることが許容されることを特徴とする請求項４記載の接続電線解除具を備えたねじなし端子部構造。
【発明の詳細な説明】
【技術分野】
【０００１】
本発明は、回路遮断器における端子部の構造に係り、より詳しくは、回路遮断器のねじなし端子部に接続された電線を接続解除するための接続電線解除具を備えた端子部の構造において、該接続電線解除具を他極に誤って装着することを防止するねじなし端子部の構造に関するものである。
【背景技術】
【０００２】
ねじなし端子部を備えた回路遮断器の例として特許文献１が公知である。特許文献１に開示されたねじなし端子は、電線を接続する場合には、電線を端子板と鎖状ばねとの間に差し込むだけで挟圧固定でき、ドライバを用いずに電線の接続が可能である利点があるものである。また、電線を取外す場合には、鎖状ばねによる挟圧固定を解除するために、極毎に設けられたリリースレバーにより、鎖状ばねを押し撓ませて挟圧固定を解き、電線の引抜を可能とするものである。
【０００３】
ねじなし端子部としては、電線の挿入孔を有する本体と、本体内部に納められたコの字状に折り曲げられた金属金具と、金属金具のコの字状の内部に納められ、電線を金属金具の内面に押圧する板バネとを有する端子部が周知である。電線を本体の電線挿入孔に挿入すると、電線は板バネの弾性力により金属金具の接続部に押付けられながら、板バネと接続部の間を摺動する。そして電線は板バネにより金属金具の接続部に押圧された状態で保持される。
【０００４】
電線の接続にクランプ式の接圧ばねを用い、リースレバーを操作することにより該クランプ式の接圧ばねを押し撓ませて電線の接続を解除して電線を引抜可能とする回路遮断器の例として特許文献２が公知である。特許文献２に開示された回路遮断器は、負荷接続部の操作レバーに着色などして極性表示を設けることにより、電線挿入口の近傍に設定して施工時の電線極性の誤配線を抑制し、施工時の確認作業を容易に行なうことができるものである。
【先行技術文献】
【特許文献】
【０００５】
【特許文献１】特開２００５−２１６５６９号公報
【特許文献２】特開２００３−３１１０２号公報
【発明の概要】
【発明が解決しようとする課題】
【０００６】
さて、分岐ブレーカとして用いられる回路遮断器は、分電盤内に並設されて、母線と接続されて用いられることが一般的である。該回路遮断器のリリースレバーに極性表示を設けて構成している場合、分電盤の施工時など電線の接続を行なう作業者は、リリースレバーに表示された極性にしたがって配線を行なうことにより効率的に電線の接続作業を遂行できる。
【０００７】
一方、万が一極性表示自体の表示が誤っていた場合、即ち、回路遮断器の組み立て時において、リリースボタンそのものの端子部への取り付け位置を誤った場合には、本来の極性とは反対の極性表示になる。回路遮断器に示された極性表示どおりに電線を接続した場合でも実際には誤った配線となり、その誤った極性表示に従って電線の接続を行うと、接続される負荷機器などに電気的な影響を及ぼすおそれがある。また、作業者が誤って感電するおそれがある。
【０００８】
そこで、本発明は上述したような課題を解決して、回路遮断器の組み立て時において、各極毎に識別性を備えたねじなし端子部の接続電線解除具の装着位置の誤りを極力起こしにくい回路遮断器のねじなし端子部の構造を提供することを提供することを目的とする。
【課題を解決するための手段】
【０００９】
本発明に係る接続電線解除具を備えた回路遮断器におけるねじなし端子部の構造は、上述の課題を解決すべく構成されたもので、各極の電線接続端子部を隔てる壁部が該電線接続端子の並設方向に夫々並設されて形成された、接続電線解除具を備えた回路遮断器におけるねじなし端子部の構造であって、自極の電線接続端子部に対して他極用の接続電線解除具が該自極に装着されることを防止する他極用接続電線解除具の装着防止手段が備えられたことを特徴として構成するとよい。
【００１０】
かかる構成によれば、回路遮断器の組み立て時において、極性を違えて組み立てることが極力なくなり、製品として電気安全性に優れた接続電線解除具を備えた回路遮断器のねじなし端子部構造を提供することができる。
【００１１】
また、前記装着防止手段は、自極のねじなし端子部と他極のねじなし端子部とを隔てる前記壁部と、前記接続電線解除具自身とに設けて構成してもよい。
【００１２】
かかる構成によれば、本来の回路遮断器におけるねじなし端子部を構成する部品に加えて、新たに追加部品を設けて装着防止手段を構成する必要がなく、低コストで接続電線解除具を備えた回路遮断器のねじなし端子部構造を提供することができる。
【００１３】
また、他極用の接続電線解除具を自極側に配設する場合においては、前記壁部に設けられた第一の装着防止手段と、前記接続電線解除具に設けられた第二の装着防止手段とが、当接干渉することにより、前記他極用の接続電線解除具が自極側に装着されることが妨げられることを特徴として構成してもよい。
【００１４】
かかる構成によれば、回路遮断器におけるねじなし端子部の組み立て時において、自極に適した接続電線解除具でない接続電線解除具を装着している状態であることが明確に分かり、極性を違えて組み立てる誤りを極力低減できる。
【００１５】
また、前記壁部に設けられた第一の装着防止手段は、該壁部に形成された壁部突出部からなる一方、他極用の接続電線解除具には、自極用の接続電線解除具の所定位置への装着時において、前記壁部突出部と当接干渉する第二の装着防止手段としての当接干渉部が形成されて、前記他極用の接続電線解除具が自極側に装着されることが妨げられることを特徴として構成してもよい。
【００１６】
かかる構成によれば、壁部に突出部を形成するとともに、接続電線解除具に該壁部突出部と当接干渉部を設けることにより、簡易な構成で確実に他極用の接続電線解除具が自極側に装着されることが妨げられることができる。
【００１７】
また、前記他極用の接続電線解除具が自極側に装着されることを妨げる自極側の壁部突出部は、自極用の接続電線解除具の所定位置への装着時において、該自極用の接続電線解除具とは当接干渉しない位置に形成される一方、自極用の接続電線解除具から自極側の壁部に向けて突出部が形成されるとともに自極側の壁部には該突出部を避けて形成される壁部凹部が形成されて、自極用の接続電線解除具においては、自極側に装着されることが許容されることを特徴として構成してもよい。
【００１８】
かかる構成によれば、組み立て時において自極に適した接続電線解除具である場合には、上記したような、部品同士が当接干渉することなく所定の位置に装着することができ、組み立て時における工数の増加を伴うことなく、端子部の製造を行なうことができる。
【発明の効果】
【００１９】
以上の如く、本発明によれば、回路遮断器の組み立て時において、各極毎に識別性を備えたねじなし端子部の接続電線解除具の装着位置の誤りを極力起こしにくい回路遮断器のねじなし端子部の構造を提供することができる。
【図面の簡単な説明】
【００２０】
【図１】本発明の第一の実施形態を示す回路遮断器の外観構成図を示す。
【図２】回路遮断器の端子部における内部説明図を示す。
【図３】ケース内における接続電線解除具と壁部の説明図を示す。
【図４】ケース内における接続電線解除具と壁部の位置関係の説明図を示す。
【図５】従来例における回路遮断器を示す。
【図６】従来例における回路遮断器を示す。
【発明を実施するための形態】
【００２１】
本発明の接続電線解除具を備えた回路遮断器のねじなし端子部の構造の第一の実施形態を図１から図４を用いて説明する。
【００２２】
（第一の実施形態）
図１は接続電線解除具を備えた回路遮断器１を負荷側におけるねじなし端子部１００の方向から見た外観斜視図を示している。
本発明における接続電線解除具３０，３１を備えた回路遮断器１は、分電盤の分岐回路遮断器として用いられる回路遮断器である。回路遮断器１の器体はケースＡ１０、ケースＢ１１及びこれらケースＡ、Ｂに挟まれて構成されるケースＣ１２から構成される。器体の長手方向の一端には、分電盤に設けられる母線に接続される各極の電源側端子１３が設けられ、他端には負荷側の電路に接続される各極の負荷側ねじなし端子１００が設けられる。
器体内部には、前記電源側端子１３及び負荷側のねじなし端子部１００に接続されて電路を開閉する開閉機構部が設けられている。該開閉機構部に設けられた接点が開閉されることにより、電路に流れる電流が遮断若しくは復電される。
【００２３】
器体の正面側には、器体の外部から前記開閉機構部を操作し電路を開閉するための操作部材２０が設けられる。該操作部材は、器体の内部においてリンク機構を介して前記開閉機構部と接続され、該開閉機構と連動して動作する。前記操作部材２０は、器体に回動自在に支持される回動部材と該回動部材から器体外に延出される操作ハンドル部材とから構成される。該操作ハンドル部材を器体の外部から操作することにより、前記回動部材を所定の方向に回転させ、器体内部の開閉機構に外部からの操作が伝達される。
【００２４】
図２には、ケースＡ１０及びケースＢ１１を開いて負荷側のねじなし端子部１００付近の内部を臨んだ図を示している。前記負荷側のねじなし端子部１００には、電線の挿入孔（電線挿入孔１０１，１０２）が前記端子の並設方向に並設されて形成されるとともに、器体の内部に向かって前記端子の並設方向と略垂直方向に形成されている。
【００２５】
前記器体内は、前記ケースＣ１２の壁部によって夫々の極が前記端子の並設方向について絶縁された構成となっている。夫々の極のうち、電線挿入孔１０２に対応する一方の極においては、前記電線挿入孔１０２から挿入された電線が接続されるねじなし端子及び接続電線解除具３０が設けられ、電線挿入孔１０１に対応する他方の極においては、前記電線挿入孔１０１から挿入された電線が接続されるねじなし端子及び接続電線解除具３１が設けられている。
【００２６】
接続電線解除具３０と接続電線解除具３１とは、互いに色分け形成されている。本実施形態の場合、前記正面側から見て左側に位置する電圧極側の接続電線解除具３０を黒色とし、右側に位置するニュートラル側の接続電線解除具３１を白色としている。
【００２７】
前記電線挿入孔の奥側には該電線挿入孔から挿入された電線が電気的に接続される金属製の金具５０が配設されている。該金属製の金具５０は電線の挿入孔の側から見て略コの字状に折り曲げ形成されており、器体の内部側の端部においては、前記接点開閉機構に設けられた可動接点と対向して固定接点が配置される端子板５１が形成されている。前記金属製の金具５０のコの字の内壁側には、挿入された電線を該コの字の内壁に押付ける鎖状ばね４０が配設されている。また、鎖状ばね４０の正面側（図中上方側）には、接続した電線の抜き去り時に押圧して該鎖状ばねを撓ませて電線の接続を解除する接続電線解除具３０，３１が操作部を器体外部に露出させて配設されている。
【００２８】
鎖状ばね４０の両端部はいずれも前記器体の内側方向に傾いた形状となっている。そのうち、より内側に位置する一端部４０ａは先端が折り返されて電線を抜き去る時に電線の心線にひっかからないように形成されている。外側に位置する他端部４０ｂは先端の折り返し処理がなされておらず、電線に引き抜く方向に力が加わったときには心線に食い込んで鎖状ばねが広がる方向に弾性的に変位し、電線の抜け止め作用を有する。
【００２９】
該鎖状ばね４０と、前記端子金具５０のコの字状の内側の隙間の大きさは、電線の心線の直径の大きさよりも狭くなるよう構成されている。前記ねじなし端子に電線を接続するときは、前記電線挿入孔１０１，１０２から挿入された電線の心線が、前記金具５０のコの字状の内側と鎖状ばね４０との隙間に差し込まれていくと同時に鎖状ばねを縮める方向に撓ませ、該電線の心線が該鎖状ばねの復元弾性力により端子金具５０のコの字状の内側に押圧されながら内部に差し込まれていく。そして所定位置まで差し込まれた場合には、前記鎖状ばね４０の弾性力により前記端子金具に前記心線が押圧された状態で接続保持される。
【００３０】
図２において、鎖状ばね４０の端部４０ｂの正面側（上方側）には、前記接続電線解除具３０が配置されている。電線の抜き去り時には、該接続電線解除具３０を背面側（下方側）に押し込むように操作して、鎖状ばね押圧部３０１を鎖状ばね４０の端部４０ｂに当接させ、電線の心線を接続保持している状態から鎖状ばねが縮むように撓ませる。電線を前記金具５０のコの字状の内側に押圧する力が減少していき、心線への食い込みがなくなる程度まで押圧すると、鎖状ばね４０の端部４０ｂによる電線の抜け止め作用が得られなくなって、ついには電線の抜き去りが行なえる。なお、図２における前記ケースＣ１２の壁部によって絶縁された奥側の端子部についても同様の構成である。
【００３１】
次に、図３、図４を用いて、自極側の電線接続端子部に対して他極側の接続電線解除具が自極側に装着されることを防止する装着防止手段の構造について説明を行なう。
【００３２】
図３は、説明のために接続電線解除具３０，３１の向きを回転させて揃えて記載した図である。
図４（ａ）は、ケースＡ１０、ケースＢ１１、ケースＣ１２が正常に組み合わされて構成された場合の夫々のケース内における接続電線解除具と壁部との位置関係を、図１における接続電線解除具を備えたねじなし端子部構造１のＡ−Ａ線での矢印方向から見た要部断面図である。また、図４（ｂ）は接続電線解除具３０，３１を側面方向から示した図である。また、接続電線解除具３０の側を自極側とし、接続電線解除具３１の側を他極側とする。
【００３３】
まず、装着防止手段が、ケースＣ１２の壁部に設けられた壁部突出部１２２と、接続電線解除具３１に設けられた当接干渉部３１４とから構成される形態について説明を行なう。
自極側のケースＣ１２の壁部には自極側の接続電線解除具３０が配置される場所において、第一の装着防止手段としての壁部突出部１２２が形成される。
【００３４】
また、他極側の接続電線解除具３１には、該接続電線解除具３１を前記自極側に配置した場合に前記ケースＣ１２の壁部突出部１２２に対応する位置において、第二の装着防止手段としての接続電線解除具３１の当接干渉部３１４が形成される。
【００３５】
一方、自極側の接続電線解除具３０においては、前記壁部突出部１２２との当接干渉を防止するために、接続電線解除具３１における当接干渉部３１４を取り去った当接回避部３０４が設けられている。また、接続電線解除具３０には、ケースＣ１２の壁部の方向に向けて突出形成された突出部３０２が設けられている。ケースＣ１２の自極側の壁部には、前記突出部３０２に対応する位置において、該突出部３０２を避けて形成される壁部凹部１２１が設けられている。
【００３６】
前記突出部３０２の長さは前記壁部凹部１２１の凹みの深さにはまり込む程度に設けられており、なおかつ、接続電線解除具３０とケースＡ１０及びケースＣ１２との間隙の大きさは突出部３０２の長さよりも小さく設けられている。また、前記壁部凹部１２１の形状は、電線の抜き去り時に接続電線解除具３０を押し込むときの変位に追随する前記突出部３０２の変位を避けられるよう長細い形状となっている。
また、接続電線解除具３０の突出部３０２は、前記器体の電線挿入方向において、接続電線解除具３０の略中央部付近に形成されている。
【００３７】
このように、接続電線解除具３０及び接続電線解除具３１は互いに、操作部及び鎖状ばね押圧部を共通の形状とし、それらの中間部の形状を互いに異ならせて構成している。
【００３８】
さて、他極側における接続電線解除具３１を、自極側における接続電線解除具３０に代えて装着する場合には、第二の装着防止手段としての接続電線解除具３１の当接干渉部３１４が壁部突出部１２２に当接して所定の位置に装着できない。したがって、ケースＣ１２に対して、ケースＡ１０を組み合わせる作業を行なうときには、互いのケース間に前記接続電線解除具３１が挟まり、ケースＡ１０をケースＣ１２に完全には組み合わせることができない。
【００３９】
自極側における接続電線解除具３０を、他極側における接続電線解除具３１に代えて装着する場合には、ケースＢ１１とケースＣ１２とを組み合わせたときの間隔が、接続電線解除具３０における前記鎖状ばねの並設方向の厚みよりも狭いため、即ち接続電線解除具３０の突出部３０２の部分の厚みがケースＢ１１とケースＣ１２との隙間に入りきらず、前記突出部３０２がケースＢ１１の壁部に当接干渉して、所定の位置に装着できない。したがって、ケースＣ１２に対して、ケースＢ１１を組み合わせる作業を行なうときには、互いのケース間に前記接続電線解除具３０が挟まり、ケースＢ１１をケースＣ１２に完全には組み合わせることができない。
【００４０】
このように、接続電線解除具を備えたねじなし端子部を組み立てるにあたり、他極側の接続電線解除具３１を自極側に誤って組み付けたことが端子部の組み立て時に認識でき、製品として電気的に安全な接続電線解除具を備えた回路遮断器のねじなし端子部を提供することができる。
【符号の説明】
【００４１】
１  接続電線解除具を備えた回路遮断器
１０  ケースＡ
１１  ケースＢ
１２  ケースＣ
１０１  電線挿入孔
１０２  電線挿入孔
３０  接続電線解除具
３１  接続電線解除具
３０１  鎖状ばね押圧部
３１１  鎖状ばね押圧部
４０  鎖状ばね
５０  金属製の金具
１２１  壁部凹部
１２２  壁部突出部
３０２  突出部
３０４  当接回避部
３１４  当接干渉部
【図１】
2013168291.tif 000003
【図２】
2013168291.tif 000004
【図３】
2013168291.tif 000005
【図４】
2013168291.tif 000006
【図５】
2013168291.tif 000007
【図６】
2013168291.tif 000008